(57)【要約】【課題】開閉操作が容易で、かつ、優れた防塵性を有する端子開口部の開閉機構を備えた携帯製品を提供すること。【解決手段】外部機器の端子が接続される本体側の外部機器接続端子１４を備えている携帯電話機（携帯製品）において、外部機器接続端子１４の接続端子開口部１１を全開位置及び全閉位置の間でスライドして開閉する帯状開閉部材２１と、該帯状開閉部材２１を全開方向へ移動させる付勢手段２２と、帯状開閉部材２１を全閉位置に保持する係止手段２３とを具備してなる端子開口部開閉機構２０を設けた。【選択図】  図４
2004247146.tif 000002
【特許請求の範囲】
【請求項１】
外部機器または記憶用媒体の端子が接続される本体側の内部接続端子を備えている携帯製品において、
前記内部接続端子の本体開口部を全開位置及び全閉位置の間でスライドして開閉する帯状開閉部材と、該帯状開閉部材を全開方向へ移動させる付勢手段と、前記帯状開閉部材を全閉位置に保持する係止手段と、を具備してなる端子開口部開閉機構を設けたことを特徴とする携帯製品。
【請求項２】
前記帯状開閉部材が、全開位置でそれぞれに対応する本体開口部と一致して開状態とし、全閉位置で前記本体開口部から位置ずれして閉状態とする一または複数の貫通開口部を備えていることを特徴とする請求項１記載の携帯製品。
【発明の詳細な説明】
【０００１】
【発明の属する技術分野】
本発明は、携帯電話機、ＰＨＳ（登録商標）、ＰＤＡ、電子手帳、ノート型パーソナルコンピュータ及びデジタルカメラのように、外部機器や記憶用媒体との接続端子を備えている携帯製品に係り、特に、携帯製品における接続端子開口部の防塵構造に関する。
【０００２】
【従来の技術】
近年、容易に携帯して使用することができる各種の電子機器が開発され、広く普及している。このような携帯製品としては、たとえば携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）などに代表される移動体通信機器の他、電子手帳、ノート型パーソナルコンピュータ、デジタルカメラ等が知られている。
このような携帯製品には、他の電子機器との間でケーブルを介してデータ通信を行ったり、あるいは、メモリスティックやメモリカードのような記憶媒体との間で直接データ通信を行ったりするため、本体側の適所に接続端子が設けられている。
【０００３】
図９は、携帯製品の一例として携帯電話機を示している。
この携帯電話機は、本体１の内部に電源や各種電子回路等を内蔵している。本体１の操作面には、液晶パネル等の表示部２と、各種の操作スイッチ（ボタン）３と、図示しないマイクロホン及びスピーカーが配設されている。また、図中の符号４は本体１から突出するアンテナ、５は充電端子／外部機器接続端子用の本体開口部を覆う接続端子開口用キャップ、６は記憶媒体接続端子用の本体開口部を覆う記憶媒体開口用キャップ、７はイヤホン接続端子用の開口部を覆うイヤホン開口用キャップである。
【０００４】
接続端子開口用キャップ５、記憶媒体開口用キャップ６及びイヤホン開口用キャップ７は、たとえば樹脂やゴム等を各開口部と略同様の形状に成形した部材である。これらのキャップ５，６，７は、各開口部に埃等の異物が侵入するのを防止する目的で取り付けられ、必要に応じて使用者が手で着脱できるするように嵌合されている。なお、各キャップ５，６，７は、開口部から取り外した状態でも紛失しないようにするため、一端が本体１に係止されるようになっている。
【０００５】
また、記憶媒体接続端子用開口部の防塵については、たとえば記憶媒体がメモリカードである場合、常態において外部の塵埃がメモリカード挿入口からカードアダプタ内に侵入するのを防止するため、メモリカード挿入口とカードアダプタとの間に、不織布にスリットを設けた防塵部材（抵抗部材）を配設することが提案されている。（たとえば、特許文献１参照）
【０００６】
【特許文献１】
特開２００２−１５０２２５号公報（第３頁、図１及び図２）
【０００７】
【発明が解決しようとする課題】
上述したように、携帯電話機等の携帯製品においては、各種の接続端子用として本体に形成された開口部から埃等の異物が侵入するのを防止するため、従来よりキャップや防塵部材を取り付けている。
しかしながら、キャップにより開口部を覆う構造では、嵌合状態に取り付けられる小さなキャップを手で着脱するため、係止部等が破損しやすいことに加えて操作性に問題があった。特に、係止部の破損はキャップ自体の紛失につながるため、対策が求められている。また、取り外した状態のキャップは本体の外部に飛び出すため、携帯製品使用の邪魔になることがある。
【０００８】
一方、防塵部材を配設する構成では、メモリカードを使用しない状態では常にスリットが開口しており、上述したキャップと比較すれば操作性には優れるものの防塵効果が低くなることは否めない。特に、記憶媒体の接続端子においては、埃等の異物が介在することでデータ損失という最悪の事態に陥ることもありうるため、より一層の防塵性向上が望まれる。
本発明は、上記の事情に鑑みてなされたもので、開閉操作が容易で、かつ、優れた防塵性を有する端子開口部の開閉機構を備えた携帯製品の提供を目的とするものである。
【０００９】
【課題を解決するための手段】
本発明は、上記課題を解決するため、以下の手段を採用した。
請求項１に記載の携帯電話機は、外部機器または記憶用媒体の端子が接続される本体側の内部接続端子を備えている携帯製品において、
前記内部接続端子の本体開口部を全開位置及び全閉位置の間でスライドして開閉する帯状開閉部材と、該帯状開閉部材を全開方向へ移動させる付勢手段と、前記帯状開閉部材を全閉位置に保持する係止手段と、を具備してなる端子開口部開閉機構を設けたことを特徴とするものである。
【００１０】
このような携帯製品によれば、内部接続端子の本体開口部を全開位置及び全閉位置の間でスライドして開閉する帯状開閉部材と、該帯状開閉部材を全開方向へ移動させる付勢手段と、帯状開閉部材を全閉位置に保持する係止手段と、を具備してなる端子開口部開閉機構を設けたので、通常は係止手段により全閉位置に保持された帯状部材により端子開口部を閉じて防塵することができる。そして、端子開口部を開く場合には、係止手段による係止を解除することにより、帯状部材は付勢手段の作用により全開位置へ自動的にスライドする。
【００１１】
請求項１記載の携帯製品においては、前記帯状開閉部材が、全開位置でそれぞれに対応する本体開口部と一致して開状態とし、全閉位置で前記本体開口部から位置ずれして閉状態とする一または複数の貫通開口部を備えている構成としてもよい。この場合、複数の貫通開口部を備えていれば、複数の端子開口部を同時に開閉操作することが可能になる。
【００１２】
【発明の実施の形態】
以下、本発明に係る携帯製品の一実施形態を図面に基づいて説明する。
＜第１の実施形態＞
図１には携帯製品の一例として携帯電話機１０が示されており、図中の符号１は本体、２は表示部、３は操作スイッチ、４はアンテナである。
この携帯電話機１０は、本体１の底面に端子開口部開閉機構（以下、「開閉機構」と呼ぶ）２０を備えた接続端子開口部１１が設けられている。
また、本体１の側面には、記憶媒体開口部６及びイヤホン開口部７が設けられており、接続端子開口部１１と共に携帯電話機１０の本体開口部となる。
【００１３】
接続端子開口部１１の内部には、本体１の内部に設置されたコネクタ１２の端子類（内部接続端子）が配設されている。このコネクタ１２は、図２（ｂ）に示すように、外部機器接続端子１４及び一対の充電端子１５，１５を備えている。
なお、外部機器接続端子１４及び充電端子１５，１５は、開閉機構２０を全開にした使用状態で、接続端子開口部１１を通して本体１の外部に露出した状態となる。
【００１４】
開閉機構２０は、本体開口部である接続端子開口部１１を全開位置及び全閉位置の間でスライドして開閉する帯状開閉部材２１と、この帯状開閉部材２１を全開方向へ移動させる付勢手段２２と、全閉位置にある帯状開閉部材２１を全閉位置に保持する係止手段２３とを具備している。
帯状開閉部材２１は、樹脂成型品、金属板、あるいは金属板に樹脂をコーティングしたものなどの中から、適宜選択して使用する。なお、図１及び図２に示した帯状開閉部材２１は樹脂成型品であり、後述する付勢手段２２の巻き取りや曲面部での追従性をよくするため、巻き取り方向と直交するように適当なピッチで薄肉部２１ａを設けてある。
【００１５】
本実施形態の帯状開閉部材２１は、固定軸２２ａと共に付勢手段２２となるゼンマイ機構を構成する弾性板状部材である。この帯状開閉部材２１は、図４に示すように、一端が固定軸２２ａに連結された樹脂の一体成形部品であり、固定軸２２ａと反対側の端部（他端）には、係止手段２３を備えた操作部２４が取り付けられている。
固定軸２２ａは、本体１内の適所に、たとえばコネクタ１２に設けた略Ｄ型形状の挿入穴１２ａに挿入され、回転不能に固定される。このようにして帯状開閉部材２１及び付勢手段２２を取り付けたコネクタ１２は、図示しないプリント基板等と共に、本体１を構成している本体上部１ａ及び本体下部１ｂ間に収納される。
【００１６】
操作部２４は、帯状開閉部材２１と一体成形されるか、あるいは、他端に別体の部品を取り付けたものであり、係止手段となる凹部２４ａを備えている。この凹部２４ａは、本体１側の適所、たとえばコネクタ１２に形成された凸部１２ｂと全閉位置で係合し（図５参照）、帯状開閉部材２１の開（巻き取り）方向へのスライドを阻止する機能を有している。なお、図示の例では、凹部２４ａの係合及び係合解除をスムーズで容易なものとするため、凸部１２ｂの断面形状は角部のない曲面とされる。
また、操作部２４は、開閉操作を容易にするため、そして、全開位置におけるストッパとして機能させるため、本体１の壁面から外側へ適度に突出させた形状としている。
【００１７】
また、本体１と帯状開閉部材２１との間には、開閉時の安定したスライドを維持するため、適当なガイド機構を設けておくことが好ましい。このようなガイド機構としては、たとえば図３に示すように、帯状開閉部材２１の幅方向両端部に段差面２１ｂを設け、本体１の内壁（裏）面とコネクタ１２の端子露出面との間に形成される隙間をガイド溝として利用することができる。
この他にも、本体１側に一対の凹溝（図示省略）を形成し、この凹溝が帯状開閉部材２１の幅方向両端を支持してスライドを安定させてもよい。
【００１８】
以下、上述した構成の携帯電話機１０について、開閉機構２０による接続端子開口部１１の開閉操作について説明する。
図１及び図２（ａ）は、開閉機構２０の帯状開閉部材２１が全閉位置に保持されており、接続端子開口部１１が閉じられて端子類が本体１の外部に露出しない状態を示している。この全閉状態では、付勢手段２２のゼンマイ機構に抗して帯状開閉部材２１が引き出され、接続端子開口部１１を閉じている。そして、ゼンマイ機構が発生する開（巻き取り）方向の力に対しては、操作部２４の凹部２４ａとコネクタ１２の凸部１２ｂとが係合する係止手段２３の作用により対応し、全閉状態を維持している。
【００１９】
このような全閉位置では、接続端子開口部１１が帯状開閉部材２１により閉じられているので、端子類に埃等の異物が付着するのを防止して優れた防塵性を得ることができる。特に、帯状開閉部材２１のスライドを安定させるガイド機構を設けておけば、端子類に向けて直線的な異物の進入が困難になるので、より一層の防塵機能が得られる。
【００２０】
続いて、上述した開閉機構２０を開操作する場合には、操作部２４に適当な方向の力を加え、凹部２４ａと凸部１２ｂとの係合を外す。この結果、引き延ばされた状態にあった帯状開閉部材２１は、付勢手段２２であるゼンマイ機構の作用によって開方向へスライドして戻るため、図２（ｂ）に示すように、操作部２４が接続端子開口部１１の端面に係止されるまで固定軸２２ａに巻き付いていく。
すなわち、この場合の操作部２４は、帯状開閉部材２１を全開位置に保持するストッパとして機能している。
【００２１】
このような全開位置では、接続端子開口部１１が開き、外部機器接続端子１３及び充電端子１４が露出して使用可能な状態となる。また、帯状開閉部材２１は本体１内の固定軸２２ａに巻き取られているので、端子類を使用する際に邪魔になったり、あるいは、本体１から分離されて紛失するようなことはない。
【００２２】
また、端子類を使用した後には、ゼンマイ機構の付勢に抗して操作部２４を全閉方向にスライドさせれば、帯状開閉部材２１が固定軸２１ａから引き出されて行く。そして、帯状開閉部材２１を全閉位置まで引き出し、操作部２４の凹部２４ａを凸部１２ｂに係合させて全閉状態を維持する。
【００２３】
ところで、上述した実施形態では接続端子開口部１１に開閉機構２０を設けた構成としたが、この開閉機構２０は、接続端子開口部１１に限定されることはなく、たとえば記憶媒体開口部６やイヤホン開口部７など他の端子開口部に設けることも可能である。
また、上述した実施形態では付勢手段２２としてゼンマイ機構を採用したが、たとえばコイルバネにより軸を付勢して帯状部材２２を巻き取る構成の付勢手段も可能である。すなわち、付勢手段２２は、帯状開閉部材２１を端子開口部の全開方向へ移動させるように付勢を与えるものであればよい。
【００２４】
また、係止手段２３についても、図５に示した構成に限定されることはなく、たとえば図６に示すように、接続端子開口部１１の全閉位置側端部近傍に突出部１６，１６を形成して開口部の幅を狭め、操作部２４が突出部１６を乗り越えた位置で係止されるようにしてもよい。なお、図６においては、図中の矢印が全閉方向である。
【００２５】
＜第２の実施形態＞
次に、本発明の第２の実施形態を図７及び図８に基づいて説明する。
この実施形態では、全開位置でそれぞれに対応する接続端子開口部１１、記憶媒体開口部６及びイヤホン開口部７などの本体開口部と一致し、各開口部を開状態とする貫通開口部が帯状開閉部材２１Ａに設けられている。
図７及び図８に示した例では、一端が付勢手段２２に連結された帯状開閉部材２１Ａを引き出し方向の他端側に延長し、付勢手段２２側から他端側へ順に、第１貫通開口部１１Ａ、第２貫通開口部６Ａ及び第３貫通開口部７Ａが設けられている。なお、帯状開閉部材２１Ａを延長して貫通開口部を設けた以外の部分については、上述した第１の実施形態と基本的に同じ構成となるが、帯状開閉部材２１Ａの延長部分をスライドさせる領域に対応して、開閉移動をスムーズにするため、本体１側には図示しない適当なガイド機構を設けておく必要がある。
【００２６】
上述した第１貫通開口部１１Ａは、付勢手段２２に巻き込まれた全開位置で接続端子開口部１１と一致し、全閉位置では接続端子開口部１１及び他の開口部から完全に位置ずれするようになっている。また、第２貫通開口部６Ａは、全開位置で記憶媒体開口部６と一致し、全閉位置では記憶媒体開口部６及び他の開口部から完全に位置ずれする。さらに、第３貫通開口部７Ａは、全開位置でイヤホン開口部７と一致し、全閉位置ではイヤホン開口部７及び他の開口部から完全に位置ずれするようになっている。
【００２７】
このような構成の帯状開閉部材２１Ａとすれば、全閉位置では第１〜第３貫通開口部１１Ａ，６Ａ，７Ａの全てが開口部と位置ずれしているので、接続端子開口部１１、記憶媒体開口部６及びイヤホン開口部７はいずれも帯状開閉部材２１Ａにより閉じられた状態となる。
このような全閉位置の状態で操作部２４を操作し、係合手段２３の係合を解除すれば、帯状開閉部材２１Ａは付勢手段２２の作用により全開位置までスライドして移動する。この全開位置では、第１貫通開口部１１Ａが接続端子開口部１１と一致し、第２貫通開口部６Ａが記憶媒体開口部６と一致し、さらに、第３貫通開口部７Ａがイヤホン開口部７と一致するので、各開口部が露出していずれも使用可能な状態となる。すなわち、操作部２４の開操作により、各貫通開口部が帯状開閉部材２１Ａと一体にスライドするので、全ての開口部を同時に開閉することが可能となる。
【００２８】
上述したように、帯状開閉部材２１Ａに一または複数の貫通開口部を形成すれば、一または複数の本体開口部を一回の操作で同時に、すなわち第１の実施形態と同様の開閉操作により複数の開口部を同時に開閉することが可能になるので、より一層操作性が向上する。
なお、本発明の構成は上述した各実施形態に限定されるものではなく、たとえば開口部の位置や種類など、本発明の要旨を逸脱しない範囲内において適宜変更することができ、さらに、携帯電話機のみに限定されることはなく、本体側に内部接続端子を備えている各種の携帯製品にも適用可能である。
【００２９】
【発明の効果】
本発明の携帯製品によれば、通常は係止手段により全閉位置に保持された帯状開閉部材が端子開口部を閉じて防塵し、端子開口部を開いて使用する場合には、係止手段による係止を解除するだけの簡単な操作により、付勢手段が作用して帯状開閉部材を全開位置へ自動的にスライドさせて開くことができる端子開口部開閉機構を備えているので、通常時における優れた防塵機能を確保し、かつ、本体開口部の開閉操作を容易にした携帯製品となる。
【００３０】
また、帯状開閉部材が、全開位置でそれぞれに対応する本体開口部と一致して開状態とし、全閉位置で前記本体開口部から位置ずれして閉状態とする一または複数の貫通開口部を備えた構成とすれば、複数の端子開口部を同時に開閉操作することが可能になるので、端子開口部開閉機構の操作性をより一層向上させることができる。
【図面の簡単な説明】
【図１】本発明に係る携帯製品の第１の実施形態として携帯電話機を示す斜視図である。
【図２】図１の携帯帯電話機の本体開口部を示す底面図で、（ａ）は全閉位置の状態、（ｂ）は全開位置の状態である。
【図３】図２（ａ）のＡ−Ａ断面図である。
【図４】図１の携帯電話機について、端子開口部開閉機構の構成例を示す分解組立図である。
【図５】図４に示す端子開口部開閉機構について、係止手段の構成例を示す断面図である。
【図６】図４に示す端子開口部開閉機構について、係止手段の変形例を示す底面の要部拡大図である。
【図７】本発明に係る携帯製品の第２の実施形態として携帯電話機を示す斜視図である。
【図８】図７に示した携帯電話機の帯状開閉部材について貫通開口部の設置例を示す図で、（ａ）は全閉位置、（ｂ）は全開位置である。
【図９】従来の携帯製品として携帯電話機の構成例を示す斜視図である。
【符号の説明】
１    本体
２    表示部
３    操作スイッチ（ボタン）
４    アンテナ
６    記憶媒体開口部
６Ａ  第２貫通開口部
７    イヤホン開口部
７Ａ  第３貫通開口部
１０    携帯電話機（携帯製品）
１１    接続端子開口部
１１Ａ  第１貫通開口部
１２    記憶媒体開口部
１２ａ  挿入穴
１２ｂ  凸部
１４    外部機器接続端子
１５    充電端子
１６    突出部
２０    端子開口部開閉機構（開閉機構）
２１，２１Ａ    帯状開閉部材
２１ａ  薄肉部
２１ｂ  段差面
２２    付勢手段
２２ａ  固定軸
２３    係止手段
２４    操作部
２４ａ  凹部
【図１】
2004247146.tif 000003
【図２】
2004247146.tif 000004
【図３】
2004247146.tif 000005
【図４】
2004247146.tif 000006
【図５】
2004247146.tif 000007
【図６】
2004247146.tif 000008
【図７】
2004247146.tif 000009
【図８】
2004247146.tif 000010
【図９】
2004247146.tif 000011